(57)【要約】【課題】構成の複雑化を招くことなく、ディスクの搬入に影響を及ぼすことなく、かつ、搬出時にガイドアームを確実に搬入待機位置に戻すことが可能なディスク装置の提供。【解決手段】ディスク装置１００は、ディスク１０の搬出動作が終了した後に、ターンテーブル２２２を一時的に回転させる一時的回転処理をする。このため、ガイド部材５６１がスリップ防止シート２２２Ｄに乗り上げてしまいガイドアーム５６０が搬入待機位置まで戻らなくても、一時的回転処理によりガイドアーム５６０を搬入待機位置まで戻すことができる。また、ガイド付勢手段５９０による搬出方向への付勢力を大きくすることなく、かつ、従来技術のようなエジェクトレバーガイドローラを設けることなく、ターンテーブル２２２を一時的に回転させるだけなので、ディスク１０の搬入に影響を及ぼすことが無く、構成の複雑化も招くことがない。【選択図】図１
2010205359.tif 000002
【特許請求の範囲】
【請求項１】
ディスク状の記録媒体を面方向に沿って移動させてケース体内に搬入するとともに前記ケース体外に搬出する搬送手段と、
前記記録媒体の搬入前と搬出前に前記記録媒体の搬入経路から退避し、搬入後に前記搬入経路に進出して前記記録媒体を保持するターンテーブルと、
前記ターンテーブルよりも搬出方向側の搬入待機位置と搬入方向側の搬入完了位置との間で移動可能に設けられ、前記搬入時および前記搬出時に前記記録媒体の外縁部を保持するガイド手段と、
このガイド手段を前記搬出方向側に付勢するガイド付勢手段と、
前記ターンテーブルの回転を制御する回転制御手段と、を具備したディスク装置であって、
前記ガイド手段は、前記記録媒体の搬出に伴い前記ガイド付勢手段の付勢力で前記搬出方向に移動するときに、前記ターンテーブルに対向する位置を通過する状態で設けられ、
前記回転制御手段は、前記搬送手段による前記記録媒体の搬出動作が終了した後に、前記ターンテーブルを一時的に回転させる一時的回転処理を実施する
ことを特徴とするディスク装置。
【請求項２】
請求項１に記載のディスク装置において、
前記搬送手段により前記記録媒体が搬出された状態を検知する搬出検知手段を具備し、
前記回転制御手段は、前記搬出検知手段で前記搬出された状態が検知されたことを認識すると、直ちに前記一時的回転処理を実施する
ことを特徴とするディスク装置。
【請求項３】
請求項２に記載のディスク装置において、
前記ターンテーブルは、
前記記録媒体が有するセンターホールに挿通される略円柱状のテーブル回転軸部と、
このテーブル回転軸部の側面から鍔状に突出し前記記録媒体が載置されるテーブル載置部と、
このテーブル載置部とにより前記記録媒体を保持する保持部と、を備え、
前記ガイド手段は、前記テーブル載置部に対向する位置を通過する状態で設けられ、
前記搬出検知手段で検知される前記搬出された状態は、前記記録媒体が前記テーブル回転軸部に対向する位置に存在しない状態に設定されている
ことを特徴とするディスク装置。
【請求項４】
請求項１に記載のディスク装置において、
前記搬送手段により搬出された前記記録媒体が前記ケース体から引き抜かれた状態を検知する引抜検知手段を具備し、
前記回転制御手段は、前記引抜検知手段で前記引き抜かれた状態が検知されたことを認識すると、直ちに前記一時的回転処理を実施する
ことを特徴とするディスク装置。
【請求項５】
請求項１に記載のディスク装置において、
前記ケース体内に前記記録媒体の一部が挿入された状態を検知する挿入検知手段を具備し、
前記回転制御手段は、前記挿入検知手段で前記挿入された状態が検知されたことを認識すると、直ちに前記一時的回転処理を実施する
ことを特徴とするディスク装置。
【請求項６】
請求項１に記載のディスク装置において、
前記ガイド手段が前記ターンテーブルに乗り上げている状態を検知する乗上検知手段を具備し、
前記回転制御手段は、前記乗上検知手段で前記乗り上げた状態が検知されたことを認識すると、直ちに前記一時的回転処理を実施する
ことを特徴とするディスク装置。
【請求項７】
請求項１から請求項６のいずれかに記載のディスク装置において、
前記一時的回転処理は、前記ターンテーブルにおける前記ガイド手段の移動軌跡と重なる部分が前記搬出方向側に移動する方向に前記ターンテーブルを一時的に回転させる処理である
ことを特徴とするディスク装置。
【発明の詳細な説明】
【技術分野】
【０００１】
本発明は、ディスク装置に関する。
【背景技術】
【０００２】
従来、ＣＤ（Compact Disc）やＤＶＤ（Digital Versatile Disc）あるいはＢＤ（Blu-ray Disc）などの記録媒体に記録されている情報を記録したり、または記録されている情報を再生したりするディスク装置が知られている。（例えば、特許文献１および特許文献２参照）。
【０００３】
特許文献１に記載のものは、ガイドアームを備えている。このガイドアームの回動先端側には、ディスクの外周部を保持するディスクガイド部が設けられている。また、ガイドアームは、ディスクを搬出する際にディスクガイド部がターンテーブルの上を通過して、ディスクガイド部がターンテーブルよりも搬出方向側の搬入待機位置まで戻るように設けられている。
【０００４】
特許文献２に記載のものは、弾性体の弾性力によりディスク挿入口側に引き出される排出レバーを備えている。この排出レバーの回動先端側には、ディスクの外周部を保持するガイドと、スピンドルモータのディスクラバー上を通過するときにディスクラバー面との接触により回動可能なエジェクトレバーガイドローラと、が設けられている。そして、ディスクの挿入により、排出レバーが回動すると、エジェクトレバーガイドローラは、ディスクラバー面で回動することでディスクラバー面を通過する。
【０００５】
【特許文献１】特開２００８−１４０５０８号公報
【特許文献２】特開２００７−１８４０１８号公報
【発明の開示】
【発明が解決しようとする課題】
【０００６】
しかしながら、特許文献１のような構成では、ガイドアームやディスクガイド部の部品寸法のばらつきや傾きあるいは自重などにより、搬出時にディスクガイド部がターンテーブルに乗り上げてしまい、ガイドアームが搬入待機位置まで戻らないおそれがある。このような現象を防止するために、ガイドアームを搬出方向側に強く付勢することが考えられるが、強く付勢すると記録媒体の搬入の妨げとなってしまうおそれがある。
一方、特許文献２のような構成では、排出時にエジェクトレバーガイドローラがディスクラバー面で回動することで排出レバーが初期位置まで戻ると考えられるが、エジェクトレバーガイドローラを設ける必要があり構成が複雑になってしまう。
【０００７】
本発明は、構成の複雑化を招くことなく、記録媒体の搬入に影響を及ぼすことなく、かつ、搬出時にガイド手段を確実に搬入待機位置に戻すことが可能なディスク装置を提供することを１つの目的とする。
【課題を解決するための手段】
【０００８】
請求項１に記載の発明は、ディスク状の記録媒体を面方向に沿って移動させてケース体内に搬入するとともに前記ケース体外に搬出する搬送手段と、前記記録媒体の搬入前と搬出前に前記記録媒体の搬入経路から退避し、搬入後に前記搬入経路に進出して前記記録媒体を保持するターンテーブルと、前記ターンテーブルよりも搬出方向側の搬入待機位置と搬入方向側の搬入完了位置との間で移動可能に設けられ、前記搬入時および前記搬出時に前記記録媒体の外縁部を保持するガイド手段と、このガイド手段を前記搬出方向側に付勢するガイド付勢手段と、前記ターンテーブルの回転を制御する回転制御手段と、を具備したディスク装置であって、前記ガイド手段は、前記記録媒体の搬出に伴い前記ガイド付勢手段の付勢力で前記搬出方向に移動するときに、前記ターンテーブルに対向する位置を通過する状態で設けられ、前記回転制御手段は、前記搬送手段による前記記録媒体の搬出動作が終了した後に、前記ターンテーブルを一時的に回転させる一時的回転処理を実施することを特徴とするディスク装置である。
【発明を実施するための最良の形態】
【０００９】
以下、本発明に係る一実施形態のディスク装置について説明する。
【００１０】
［ディスク装置の構成］
まず、ディスク装置の構成を図面に基づいて説明する。
図１は、本発明の一実施形態に係るディスク装置のディスク搬入前の内部構成を示す平面図である。図２は、正常状態におけるガイド部材とターンテーブルとの位置関係を示す側面図である。図３は、異常状態におけるガイド部材とターンテーブルとが接触した状態を示す側面図である。
【００１１】
図１において、ディスク装置１００は、例えばノート型のパーソナルコンピュータなどの携帯型の電気機器や、車両などに搭載される電気機器などに装着される、いわゆるスロットインタイプと称されるものである。
このディスク装置１００は、ディスク状の記録媒体としてのディスク１０の記録面１１（図２参照）に記録された情報を読み込む読込処理、および記録面１１へ各種情報を記録する記録処理のうち少なくとも一方の情報処理を実施する。
また、このディスク装置１００は、ディスク１０として、直径８ｃｍの小径ディスク１０Ａと、直径１２ｃｍの大径ディスク１０Ｂと、を収納することができる。
ここで、ディスク１０としては、例えば、ＣＤ（Compact Disc）やＤＶＤ（Digital Versatile Disc）あるいはＢＤ（Blu-ray Disc：ブルーレイディスク）またはＨＤ−ＤＶＤ（High Definition DVD）などの光ディスク、光磁気ディスク、磁気ディスク、あるいは、これらを貼り合わせた複合ディスクなどの各種構成を例示することができる。
そして、ディスク装置１００は、略箱形状のケース体１１０を有している。このケース体１１０は、正面および上面が開口する下ケース１１１と、この下ケース１１１の上面を略閉塞する上ケース１１２と、を備えている。
なお、以下において、図１における上方向、下方向、右方向、左方向、紙面の手前方向、紙面の奥方向を、それぞれ背面方向、正面方向、右面方向、左面方向、上面方向、下面方向と適宜称して説明する。
【００１２】
下ケース１１１の背面方向側には、ベースプレート１１３が設けられている。また、ケース体１１０内には、いわゆるトラバースメカと称されるディスク処理部２００と、ディスク処理部２００を回動させる駆動部４００と、ディスク１０を搬送する搬送手段５００と、回転制御手段としても機能する制御回路部６００と、が配設されている。
【００１３】
ディスク処理部２００は、台座部２１０を有している。
この台座部２１０は、平面視で扁平八角形状に形成された長手枠状の台座基部２１１を備えている。この台座基部２１１は、ケース体１１０の正面側かつ左面側の隅部（以下、左正面隅部と称す）から中央にかけて設けられている。そして、台座基部２１１は、左正面隅部と、左右方向略中央かつ正面側の位置と、において、弾性部材２１２を介してねじ部材２１３により下ケース１１１に取り付けられている。つまり、台座部２１０は、ねじ部材２１３による取り付け部分を含む仮想回動軸Ｃ１を中心に回動可能に、ケース体１１０に軸支されている。
また、台座基部２１１におけるケース体１１０の中央に位置する部分には、背面側および右面側に向けてそれぞれ略棒状に突出する、第１の台座係合部２１４と、第２の台座係合部２１５と、が設けられている。
【００１４】
また、台座基部２１１には、ディスク１０を回転させるディスク回転駆動手段２２０と、台座部２１０の長手方向に移動可能に設けられてディスク１０に対する処理をする情報処理部２３０と、が配設されている。
ディスク回転駆動手段２２０は、スピンドルモータなどの図示しない回転用電動モータと、この回転用電動モータの出力軸に一体的に設けられたターンテーブル２２２と、を備えている。
【００１５】
ターンテーブル２２２は、いわゆるセルフチャック機能を備え、ディスク１０を着脱自在に装着する。
具体的には、ターンテーブル２２２は、略円柱状に形成されたテーブル回転軸部２２２Ａと、このテーブル回転軸部２２２Ａの側面から鍔状に突出するテーブル載置部２２２Ｂと、テーブル回転軸部２２２Ａの側面から突没自在に配設された保持部としての３個の爪部２２２Ｃと、を備えている。
テーブル回転軸部２２２Ａは、ディスク１０のセンターホール１２に挿通されて、ディスク１０を着脱可能に軸支する。
テーブル載置部２２２Ｂの上面には、リング状のスリップ防止シート２２２Ｄが貼り付けられている。このスリップ防止シート２２２Ｄ上には、ディスク１０のセンターホール１２の周縁が載置される。
爪部２２２Ｃは、テーブル載置部２２２Ｂの回転方向に沿って略等しい間隔（略１２０°間隔）で設けられ、図示しないばねなどの付勢部材による付勢力により、テーブル回転軸部２２２Ａの側面から突出する。そして、ディスク１０のセンターホール１２の周縁に係合し、テーブル載置部２２２Ｂとによりディスク１０を保持、すなわちチャッキングする。
【００１６】
駆動部４００は、例えば制御回路部６００に動作制御される図示しない電動モータと、この電動モータの回転駆動を伝達しピニオンギア４１０および図示しない複数のギアを有する駆動伝達部と、この駆動伝達部により伝達される駆動により移動する長手状の第１の移動カム４２０と、この第１の移動カム４２０の移動に伴い移動する長手状の第２の移動カム４３０と、を備えている。
電動モータは、下ケース１１１の正面側かつ右面側に設けられている。
【００１７】
第２の移動カム４３０は、台座部２１０の第２の台座係合部２１５に対向する位置に配置され、下ケース１１１の左右方向に移動可能に設けられている。この第２の移動カム４３０の正面には、第２の台座係合部２１５が係合された図示しない第２の押付昇降溝が形成されている。
第１の移動カム４２０は、台座部２１０の第１の台座係合部２１４に対向する位置に配置され、下ケース１１１の前後方向に移動可能に設けられている。
この第１の移動カム４２０の左面における正面側には、ピニオンギア４１０に係合可能なラック４２１が形成されている。さらに、第１の移動カム４２０におけるラック４２１よりも背面側には、第１の台座係合部２１４が係合された図示しない第１の押付昇降溝が形成されている。
【００１８】
そして、第１の移動カム４２０が進退すると、第１の台座係合部２１４が第１の押付昇降溝により上下方向に案内される。また、第１の移動カム４２０の進退に伴い、第２の移動カム４３０が左右方向に移動して、第２の台座係合部２１５が上下方向に案内される。
そして、第１，第２の台座係合部２１４，２１５の上下方向への案内により、台座部２１０が仮想回動軸Ｃ１を中心に回動し、ターンテーブル２２２が搬送経路に位置するディスク１０から最も離れる位置に位置決めされる退避状態、搬送経路に位置するディスク１０のセンターホール１２周縁がターンテーブル２２２の爪部２２２Ｃに載置されるチャッキング待機状態、ディスク１０のセンターホール１２周縁が上ケース１１２の図示しない凹状の押付手段に押し付けられるチャッキング状態、情報処理部２３０にてディスク１０の情報が処理可能な演奏可能状態に移行する。
【００１９】
搬送手段５００は、ケース体１１０内に設けられた、正面側かつ右面側の位置を中心に回動可能なローディングアーム５１０と、ローディングリンク機構５２０と、正面側かつ左面側の位置を中心に回動可能なサブローディングアーム５３０と、サブアームスライドプレート５４０と、リンクプレート５５０と、左面側かつ前後方向略中央の位置を中心に回動可能なガイド手段としてのガイドアーム５６０と、背面側かつ左右方向略中央の位置を中心に回動可能な第１のイジェクトアーム５７０と、第１のイジェクトアーム５７０の回動中心に対して左面側の位置を中心に回動可能な第２のイジェクトアーム５８０と、ガイドアーム５６０をディスク１０の搬出方向側に付勢するガイド付勢手段５９０と、を備えている。
【００２０】
ローディングアーム５１０の回動先端には、ディスク１０を搬入出させるためのローラ５１１が設けられている。
ローディングリンク機構５２０は、ローディングアーム５１０の回動に伴い回動するローディングリンクアーム５２１と、このローディングリンクアーム５２１の回動に伴い前後方向に移動するローディングスライドプレート５２２と、を備えている。
サブアームスライドプレート５４０には、サブローディングアーム５３０が接続されている。そして、サブアームスライドプレート５４０がリンクプレート５５０の移動に伴い前後方向に移動すると、サブローディングアーム５３０が回動する。
リンクプレート５５０は、ディスク１０が挿入されていない初期状態では、ケース体１１０の背面側において最も右側に移動した状態で配置されている。また、ディスク１０が挿入されてローディングアーム５１０およびローディングリンクアーム５２１が回動したときに、ローディングスライドプレート５２２の正面方向への移動に伴い左側に移動する。
【００２１】
ガイドアーム５６０の回動先端には、ガイド部材５６１が設けられている。そして、ガイドアーム５６０は、ガイド部材５６１の移動軌跡が、ターンテーブル２２２の中心よりも搬出方向側（正面側）の搬入待機位置から、ターンテーブル２２２のテーブル載置部２２２Ｂ上を通過して、ターンテーブル２２２の中心よりも搬入方向側（背面側）の搬入完了位置（図４参照）に至る円弧状となるように設けられている。
ガイド部材５６１は、図２にも示すように、ディスク１０の外縁部を保持する略コ字状のホールド部５６２を備えている。また、このホールド部５６２には、一端側からディスク１０の面方向に沿って延びるホールド延出部５６３が設けられている。
そして、ガイド部材５６１は、図２に示す正常状態において、ガイドアーム５６０の回動中にスリップ防止シート２２２Ｄに接触しない形状に形成されている。また、ホールド延出部５６３は、図３に示すように、例えば利用者によりディスク１０が斜めに挿入されることでスリップ防止シート２２２Ｄに乗り上げてしまう異常状態において、ディスク１０がテーブル回転軸部２２２Ａに接触しないような厚さに形成されている。
【００２２】
ガイド付勢手段５９０は、図１に示すように、略Ｌ字状の付勢アーム５９１と、付勢ばね５９２と、を備えている。
付勢アーム５９１の一端側には、ベースプレート１１３の案内溝１１３Ａに係合する移動規制突部５９１Ａが設けられている。また、付勢アーム５９１の他端側には、ガイドアーム５６０の回動軸５６０Ａよりも若干回動先端側に接続された回動規制軸部５９１Ｂが設けられている。
付勢ばね５９２は、付勢アーム５９１の略中央における左面側端縁と、ベースプレート１１３における台座基部２１１に対向する部分と、に引っ掛けられている。この付勢ばね５９２には、前記引っ掛け部分を互いに近づけるような力が作用している。この力により、移動規制突部５９１Ａが案内溝１１３Ａの正面側端部まで移動するように付勢アーム５９１が移動して、この付勢アーム５９１の移動に伴いガイドアーム５６０が正面側つまり搬出方向側に付勢される。
そして、搬送手段５００は、制御回路部６００の制御により駆動し、各アーム５１０，５３０，５６０，５７０，５８０がディスク１０の周縁に当接して、ディスク１０をケース体１１０に対して搬入出する。
【００２３】
また、下ケース１１１の背面側には、搬出検知手段としてのスイッチ６１０が設けられている。このスイッチ６１０は、正面方向に突出可能な可動片６１１を有している。この可動片６１１は、リンクプレート５５０の当接片５５１に接触可能に設けられている。
そして、スイッチ６１０は、ディスク１０が利用者により挿入されてローディングアーム５１０が背面壁に回動すると、リンクプレート５５０が左側に移動して可動片６１１が押し込まれることで、ディスク１０の挿入を検知する。また、ディスク１０が搬送手段５００により搬出されてローディングアーム５１０が正面側に回動すると、リンクプレート５５０が右側に移動して可動片６１１が突出することで、ディスク１０の搬出を検知する。スイッチ６１０は、ディスク１０の挿入や搬出を検知すると、その旨の信号を制御回路部６００へ出力する。
【００２４】
制御回路部６００は、各種電気部品が搭載された回路基板に回路構成として構成され、ディスク装置１００全体の動作を制御する。また、制御回路部６００は、ディスク１０の搬出動作が完了したことを認識すると、ターンテーブル２２２を一時的に回転させる一時的回転処理を実施する。なお、一時的回転処理の詳細については、後述する。
【００２５】
［ディスク装置の動作］
次に、ディスク装置１００における大径ディスク１０Ｂの搬出動作について説明する。
図４は、ディスク装置のディスク搬出前の内部構成を示す平面図である。図５は、ディスク装置のディスク搬出開始後の内部構成を示す平面図である。図６は、ディスク装置のディスク搬出完了位置の内部構成を示す平面図である。
【００２６】
まず、図４に示すように、大径ディスク１０Ｂがケース体１１０内に挿入されている状態から、制御回路部６００は、大径ディスク１０Ｂを搬出する旨の操作を認識すると、第１の移動カム４２０を背面側に移動させる。そして、この第１の移動カム４２０の移動により、リンクプレート５５０が右側に移動すると、各アーム５１０，５３０，５６０，５７０，５８０は、回動して大径ディスク１０Ｂの外縁を保持する。この後、さらに、第１の移動カム４２０が背面側に移動すると、台座部２１０が底面側に移動して、図示しないイジェクトピンにより大径ディスク１０Ｂがターンテーブル２２２から離脱する。
この後、ローディングアーム５１０のローラ５１１の駆動、および、各イジェクトアーム５７０，５８０の付勢力により、図５に示すように、大径ディスク１０Ｂは正面側に移動する。
【００２７】
そして、図５に示す状態から図６に示す状態に移行する際、各アーム５１０，５３０の回動に連動して、ガイドアーム５６０は、ガイド付勢手段５９０の付勢力により正面側（時計回り方向）に回動して、ガイド部材５６１がテーブル載置部２２２Ｂ上を通過する。この後、大径ディスク１０Ｂがさらに搬出されて搬出検知位置まで移動すると、スイッチ６１０の可動片６１１が突出して、制御回路部６００は大径ディスク１０Ｂが搬出されたことを検知する。ここで、搬出検知位置は、大径ディスク１０Ｂや小径ディスク１０Ａがテーブル回転軸部２２２Ａに対向しないような位置に設定されている。そして、制御回路部６００は、図６に示すように、直ちにターンテーブル２２２を矢印Ｙ１で示す反時計回り方向に所定時間、例えば数秒間だけ回転させる一時的回転処理を実施する。つまり、ターンテーブル２２２におけるガイド部材５６１の移動軌跡と重なる部分が搬出方向側に移動する方向に、ターンテーブル２２２を一時的に回転させる。
【００２８】
ここで、部品の傾きなどにより、例えば図３に示すようにガイド部材５６１がターンテーブル２２２のスリップ防止シート２２２Ｄに乗り上げてしまうと、ガイド部材５６１とスリップ防止シート２２２Ｄとの間に摩擦力が発生して、ガイド付勢手段５９０の付勢にもかかわらずガイドアーム５６０が図１に示す搬入待機位置に戻らない可能性がある。
このような場合でも、一時的回転処理により、ターンテーブル２２２を強制的に反時計回り方向に回動させることで、ガイド付勢手段５９０の付勢によりガイドアーム５６０は、搬入待機位置まで戻る。
【００２９】
［ディスク装置の作用効果］
以上のディスク装置１００によれば、以下の作用効果が期待できる。
（１）ディスク装置１００は、搬送手段５００によるディスク１０の搬出動作が終了した後に、ターンテーブル２２２を一時的に回転させる。
このため、ガイド部材５６１がスリップ防止シート２２２Ｄに乗り上げてしまい、ガイド付勢手段５９０の付勢にもかかわらずガイドアーム５６０が搬入待機位置まで戻らなくても、一時的回転処理によりガイドアーム５６０を搬入待機位置まで戻すことができる。また、ガイド付勢手段５９０による搬出方向への付勢力を大きくすることなく、かつ、従来技術のようなエジェクトレバーガイドローラを設けることなく、ターンテーブル２２２を一時的に回転させるだけなので、ディスク１０の搬入に影響を及ぼすことが無く、構成の複雑化も招くことがない。さらに、正常状態におけるターンテーブル２２２とガイド部材５６１との間隔を小さく設定することができ、ディスク装置１００の薄型化を容易に図れる。
【００３０】
（２）ディスク装置１００により搬出動作終了を検知すると直ちに一時的回転処理を実施するため、利用者によるディスク１０の挿入前に確実にガイドアーム５６０を挿入待機位置に戻すことができる。
【００３１】
（３）一時的回転処理の開始基準となる搬出検知位置を、大径ディスク１０Ｂや小径ディスク１０Ａがテーブル回転軸部２２２Ａに対向しないような位置に設定している。このため、例えば利用者が大径ディスク１０Ｂを斜め上方に引き抜くことで、ガイドアーム５６０の先端側をターンテーブル２２２側に撓ませてしまったとしても、テーブル回転軸部２２２Ａとディスク１０の記録面１１とが接触することが無く、記録面１１の傷付きを防止できる。
【００３２】
（４）一時的回転処理の際に、ターンテーブル２２２におけるガイド部材５６１の移動軌跡と重なる部分が搬出方向側に移動する方向にターンテーブル２２２を回転させているため、ガイドアーム５６０を確実に搬出方向側に回動させて挿入待機位置に戻すことができる。
【００３３】
［他の実施形態］
なお、本発明は前述の一実施形態に限定されるものではなく、本発明の目的を達成できる範囲での変形、改良などは本発明に含まれるものである。
【００３４】
すなわち、搬出動作終了後にディスク１０が利用者によりケース体１１０から引き抜かれた状態を検知する引抜検知手段を設け、引き抜きが検知されたときに、直ちに上述の一時的回転処理を実施してもよい。
また、搬入動作開始前にディスク１０が利用者によりケース体１１０内に挿入された状態を検知する挿入検知手段を設け、挿入が検知されたときに、直ちに一時的回転処理を実施してもよい。
【００３５】
そして、搬送動作終了後にガイドアーム５６０がターンテーブル２２２に乗り上げている状態を検知する乗上検知手段を設け、乗り上げが検知されたときに、直ちに一時的回転処理を実施してもよい。このような構成によれば、処理負荷を低減できる。
さらに、上記実施形態において、一時的回転処理の際に、ターンテーブル２２２を時計回り方向に一時的に回転させてもよい。つまり、ターンテーブル２２２におけるガイド部材５６１の移動軌跡と重なる部分が搬入方向側に移動する方向に、ターンテーブル２２２を一時的に回転させてもよい。このような構成によれば、ターンテーブル２２２を時計回り方向に回動させて、ターンテーブル２２２とガイドアーム５６０との間の摩擦力を一時的に小さくすることで、ガイド付勢手段５９０の付勢によりガイドアーム５６０を搬入待機位置まで戻すことができる。
また、本発明のガイド手段としては、一端側を中心に回動するガイドアーム５６０ではなく、全体が前後方向にスライド可能な構成を適用してもよい。
【００３６】
さらに、本発明を、小径ディスク１０Ａまたは大径ディスク１０Ｂのみ、あるいは他の径寸法のディスクを処理するディスク装置に適用してもよい。
その他、本発明の実施の際の具体的な構造および手順は、本発明の目的を達成できる範囲で他の構造などに適宜変更できる。
【００３７】
［実施形態の作用効果］
上記したように、ディスク装置１００は、搬送手段５００によるディスク１０の搬出動作が終了した後に、ターンテーブル２２２を一時的に回転させる。このため、ガイド部材５６１がスリップ防止シート２２２Ｄに乗り上げてしまいガイドアーム５６０が搬入待機位置まで戻らなくても、一時的回転処理によりガイドアーム５６０を搬入待機位置まで戻すことができる。また、ガイド付勢手段５９０による搬出方向への付勢力を大きくすることなく、かつ、従来技術のようなエジェクトレバーガイドローラを設けることなく、ターンテーブル２２２を一時的に回転させるだけなので、ディスク１０の搬入に影響を及ぼすことが無く、構成の複雑化も招くことがない。さらに、正常状態におけるターンテーブル２２２とガイド部材５６１との間隔を小さく設定することができ、ディスク装置１００の薄型化を容易に図れる。
【図面の簡単な説明】
【００３８】
【図１】本発明の一実施形態に係るディスク装置のディスク搬入前の内部構成を示す平面図である。
【図２】正常状態におけるガイド部材とターンテーブルとの位置関係を示す側面図である。
【図３】異常状態におけるガイド部材とターンテーブルとが接触した状態を示す側面図である。
【図４】ディスク装置のディスク搬出前の内部構成を示す平面図である。
【図５】ディスク装置のディスク搬出開始後の内部構成を示す平面図である。
【図６】ディスク装置のディスク搬出完了位置の内部構成を示す平面図である。
【符号の説明】
【００３９】
１０…ディスク状の記録媒体としてのディスク
１２…センターホール
１００…ディスク装置
１１０…ケース体
２２２…ターンテーブル
２２２Ａ…テーブル回転軸部
２２２Ｂ…テーブル載置部
２２２Ｃ…保持部としての爪部
５００…搬送手段
５６０…ガイド手段としてのガイドアーム
５９０…ガイド付勢手段
６００…回転制御手段としても機能する制御回路部
６１０…搬出検知手段としてのスイッチ
【図１】
2010205359.tif 000003
【図２】
2010205359.tif 000004
【図３】
2010205359.tif 000005
【図４】
2010205359.tif 000006
【図５】
2010205359.tif 000007
【図６】
2010205359.tif 000008